(57)【要約】      （修正有）【課題】建物により形成される影が含まれている空中又は衛星写真から影を除去して視認性を向上させる空中又は衛星写真の影除去方法及び影除去装置を提供する。【解決手段】撮影情報収集部が空中又は衛星写真を収集する段階（Ｓ１０）と、前記建物情報抽出部が前記収集された空中又は衛星写真に含まれている建物を抽出する段階（Ｓ２０）と、影領域予測部が前記抽出された建物により形成される影領域を予測する段階（Ｓ３０）と、映像復元部が前記予測された影領域に対応する前記空中又は衛星写真の映像を復元する段階（Ｓ４０）と、映像合成部が前記復元された映像と前記空中又は衛星写真の残りの映像を合成する段階（Ｓ５０）と、を含む。【選択図】図２
2014199640.tif 000002
【特許請求の範囲】
【請求項１】
撮影情報収集部、建物情報抽出部、影領域予測部、映像復元部及び映像合成部を含む空中写真の影除去装置で実行される空中又は衛星写真の影除去方法であって、
前記撮影情報収集部が空中又は衛星写真を収集する段階と、
前記建物情報抽出部が前記収集された空中又は衛星写真に含まれている建物を抽出する段階と、
前記影領域予測部が前記抽出された建物により形成される影領域を予測する段階と、
前記映像復元部が前記予測された影領域に対応する前記空中又は衛星写真の映像を復元する段階と、
前記映像合成部が前記復元された映像と前記空中又は衛星写真の残りの映像を合成する段階と、
を含む空中又は衛星写真の影除去方法。
【請求項２】
前記空中又は衛星写真を収集する段階で、前記撮影情報収集部は、前記空中又は衛星写真の撮影位置、撮影高度、撮影時刻及び撮影装置の画角情報のうちの少なくとも１つを追加で収集することを特徴とする、請求項１に記載の空中又は衛星写真の影除去方法。
【請求項３】
前記収集された空中又は衛星写真に含まれている建物を抽出する段階で、前記建物情報抽出部は、既に設定されている基準高さ以上の建物のみを抽出することを特徴とする、請求項１に記載の空中又は衛星写真の影除去方法。
【請求項４】
前記抽出された建物により形成される影領域を予測する段階は、前記空中又は衛星写真の撮影時刻、前記抽出された建物の面状及び高さに基づいて前記影形状を予測する段階と、
前記予測された影形状の境界線を抽出する段階と、
を含むことを特徴とする、請求項１に記載の空中又は衛星写真の影除去方法。
【請求項５】
前記影形状を予測する段階は、前記影が形成される方向及び大きさを予測する段階を含むことを特徴とする、請求項４に記載の空中又は衛星写真の影除去方法。
【請求項６】
前記予測された影領域に対応する前記空中又は衛星写真の映像を復元する段階は、
前記予測された影領域に対応する前記空中又は衛星写真の映像自体の明度又は明暗の対比を変更することで、前記空中又は衛星写真の映像を復元する段階を含むことを特徴とする、請求項１に記載の空中又は衛星写真の影除去方法。
【請求項７】
前記予測された影領域に対応する前記空中又は衛星写真の映像を復元する段階は、
異なる時刻に撮影された空中又は衛星写真から前記予測された影領域に対応する領域を抽出して代替することで、前記空中又は衛星写真の映像を復元する段階を含むことを特徴とする、請求項６に記載の空中又は衛星写真の影除去方法。
【請求項８】
前記予測された影領域に対応する前記空中又は衛星写真の映像を復元する段階は、
異なる時刻に撮影された前記空中又は衛星写真から前記影の境界線領域に対応する領域を抽出して代替することで、前記空中又は衛星写真の映像を復元する段階を含むことを特徴とする、請求項７に記載の空中又は衛星写真の影除去方法。
【請求項９】
空中又は衛星写真を収集する撮影情報収集部と、
前記収集された空中又は衛星写真に含まれている建物を抽出する建物情報抽出部と、
前記抽出された建物により形成される影領域を予測する影領域予測部と、
前記予測された影領域に対応する前記空中又は衛星写真の映像を復元する映像復元部と、
前記復元された映像と前記空中又は衛星写真の残りの映像を合成する映像合成部と、
を含む空中又は衛星写真の影除去装置。
【請求項１０】
前記撮影情報収集部は、前記空中又は衛星写真の撮影位置、撮影高度、撮影時刻及び撮影装置の画角情報のうちの少なくとも１つを追加で収集することを特徴とする、請求項９に記載の空中又は衛星写真の影除去装置。
【請求項１１】
前記建物情報抽出部は、前記収集された空中又は衛星写真に含まれている建物の中から既に設定されている基準高さ以上の建物のみを抽出することを特徴とする、請求項９に記載の空中又は衛星写真の影除去装置。
【請求項１２】
前記影領域予測部は、前記空中又は衛星写真の撮影時刻、前記抽出された建物の面状及び高さに基づいて前記影形状を予測する形状予測部と、
前記予測された影形状の境界線を抽出する境界線抽出部と、
を含むことを特徴とする、請求項９に記載の空中又は衛星写真の影除去装置。
【請求項１３】
前記形状予測部は、前記影が形成される方向又は大きさを予測することを特徴とする、請求項１２に記載の空中又は衛星写真の影除去装置。
【請求項１４】
前記映像復元部は、前記予測された影領域に対応する前記空中又は衛星写真の映像自体の明度又は明暗の対比を変更することを特徴とする、請求項９に記載の空中又は衛星写真の影除去装置。
【請求項１５】
前記映像復元部は、
異なる時刻に撮影された空中又は衛星写真から前記予測された影領域に対応する領域を抽出して代替することで、前記空中又は衛星写真の映像を復元することを特徴とする、請求項９に記載の空中又は衛星写真の影除去装置。
【請求項１６】
前記映像復元部は、
異なる時刻に撮影された前記空中又は衛星写真から前記影の境界線領域に対応する領域を抽出して代替することで、前記空中又は衛星写真の映像を復元することを特徴とする、請求項１５に記載の空中又は衛星写真の影除去装置。
【発明の詳細な説明】
【技術分野】
【０００１】
本発明は空中又は衛星写真の影除去方法及びその装置に関し、更に詳しくは、建物により形成される影が含まれている空中又は衛星写真から影を除去して視認性を向上させる空中又は衛星写真の影除去方法及びその装置に関する。
【背景技術】
【０００２】
通常、空中又は衛星写真とは、空中のある１つの位置から地表やある物体などを撮影したあらゆる写真を意味し、航空機などを通じて空中から地表を撮影した航空写真と人工衛星から地表を撮影した衛星写真などがこれに該当する。
【０００３】
空中又は衛星写真は撮影角度によって垂直写真と傾斜写真とに区分することもでき、垂直写真は写真の測量、写真の判読、地形図の製作などの専門的な分野で用いられ、傾斜写真は報道用、鳥瞰図用などとして用いられる。
【０００４】
一方、例えば、車両又はスマートフォンに搭載されたナビゲーションは、一般にＧＰＳ（Ｇｌｏｂａｌ Ｐｏｓｉｔｉｏｎｉｎｇ Ｓｙｓｔｅｍ）衛星を介して受信した車両の位置情報に基づいて現在の自身の位置を把握した後、内蔵された道路データベースで現在位置のデータを読み出し、画面に車両の位置と共に表示することで、運転者が現在走行中の道路の位置を識別したり、初めて走る道路で走行する際に目的地を容易に見つけ出せるように補助する装置である。
【０００５】
近年は、ユーザのニーズを充足するために、運転者が目的地を設定すれば、出発地から目的地までの予想到着時間を案内したり、目的地までの道路状況に応じた迂回道路を提案するなどの先進技術がナビゲーションに融合されて運転者に、より正確な経路情報を提供している。
【０００６】
更に、近年は道路データベースの代りに、空中又は衛星写真に車両の位置を表示することによって運転者に、より現実的な経路を案内するための技術が研究及び開発されている。
【０００７】
しかし、従来は、撮影された空中又は衛星写真の転送を受け、該当空中又は衛星写真に車両の位置を表示する程度の技術のみ開発されていたため、建物により形成される影が含まれている空中又は衛星写真が撮影された場合、運転者は影が含まれている空中又は衛星写真で経路を確認するようになるので、運転者の視認性が多少低下してしまうという問題があった。
【先行技術文献】
【特許文献】
【０００８】
【特許文献１】韓国公開特許公報第２０１２-００８６８９２号
【発明の概要】
【発明が解決しようとする課題】
【０００９】
そこで、本発明は上記事情に鑑みてなされたものであって、その目的は、建物により形成される影が含まれている空中又は衛星写真で影の形状を予測し、これを除去して影が含まれない空中又は衛星写真を表示することで、視認性を向上させる空中又は衛星写真の影除去方法及びその装置を提供することにある。
【課題を解決するための手段】
【００１０】
本発明の一側面による空中又は衛星写真の影除去方法は、撮影情報収集部、建物情報抽出部、影領域予測部、映像復元部及び映像合成部を含む空中写真の影除去装置で実行される空中又は衛星写真の影除去方法であって、前記撮影情報収集部が空中又は衛星写真を収集する段階と、前記建物情報抽出部が前記収集された空中又は衛星写真に含まれている建物を抽出する段階と、前記影領域予測部が前記抽出された建物により形成される影領域を予測する段階と、前記映像復元部が前記予測された影領域に対応する前記空中又は衛星写真の映像を復元する段階と、前記映像合成部が前記復元された映像と前記空中又は衛星写真の残りの映像を合成する段階とを含む。
【００１１】
本発明は、前記空中又は衛星写真を収集する段階で、前記撮影情報収集部は、前記空中又は衛星写真の撮影位置、撮影高度、撮影時刻及び撮影装置の画角情報のうちの少なくとも１つを追加で収集することを特徴とする。
【００１２】
本発明は、前記収集された空中又は衛星写真に含まれている建物を抽出する段階で、前記建物情報抽出部は、既に設定されている基準高さ以上の建物のみを抽出することを特徴とする。
【００１３】
本発明で前記抽出された建物により形成される影領域を予測する段階は、前記空中又は衛星写真の撮影時刻、前記抽出された建物の面状及び高さに基づいて前記影形状を予測する段階と、前記予測された影形状の境界線を抽出する段階とを含むことを特徴とする。
【００１４】
本発明で前記影形状を予測する段階は、前記影が形成される方向及び大きさを予測する段階を含むことを特徴とする。
【００１５】
本発明で前記予測された影領域に対応する前記空中又は衛星写真の映像を復元する段階は、前記予測された影領域に対応する前記空中又は衛星写真の映像自体の明度（Ｂｒｉｇｈｔｎｅｓｓ）又は明暗の対比（Ｃｏｎｔｒａｓｔ）を変更することで、前記空中又は衛星写真の映像を復元する段階を含むことを特徴とする。
【００１６】
本発明で前記予測された影領域に対応する前記空中又は衛星写真の映像を復元する段階は、異なる時刻に撮影された空中又は衛星写真から前記予測された影領域に対応する領域を抽出して代替することで、前記空中又は衛星写真の映像を復元する段階を含むことを特徴とする。
【００１７】
本発明で前記予測された影領域に対応する前記空中又は衛星写真の映像を復元する段階は、異なる時刻に撮影された前記空中又は衛星写真から前記影の境界線領域に対応する領域を抽出して代替することで、前記空中又は衛星写真の映像を復元する段階を含むことを特徴とする。
【００１８】
本発明の他の側面による空中又は衛星写真の影除去装置は、空中又は衛星写真を収集する撮影情報収集部と、前記収集された空中又は衛星写真に含まれている建物を抽出する建物情報抽出部と、前記抽出された建物により形成される影領域を予測する影領域予測部と、前記予測された影領域に対応する前記空中又は衛星写真の映像を復元する映像復元部と、前記復元された映像と前記空中又は衛星写真の残りの映像を合成する映像合成部とを含む。
【００１９】
本発明で前記撮影情報収集部は、前記空中又は衛星写真の撮影位置、撮影高度、撮影時刻及び撮影装置の画角情報のうちの少なくとも１つを追加で収集することを特徴とする。
【００２０】
本発明で前記建物情報抽出部は、前記収集された空中又は衛星写真に含まれている建物の中から既に設定されている基準高さ以上の建物のみを抽出することを特徴とする。
【００２１】
本発明で前記影領域予測部は、前記空中又は衛星写真の撮影時刻、前記抽出された建物の面状及び高さに基づいて前記影形状を予測する形状予測部と、前記予測された影形状の境界線を抽出する境界線抽出部とを含むことを特徴とする。
【００２２】
本発明で前記形状予測部は、前記影が形成される方向又は大きさを予測することを特徴とする。
【００２３】
本発明で前記映像復元部は、前記予測された影領域に対応する前記空中又は衛星写真の映像自体の明度又は明暗の対比を変更することを特徴とする。
【００２４】
本発明で前記映像復元部は、異なる時刻に撮影された空中又は衛星写真から前記予測された影領域に対応する領域を抽出して代替することで、前記空中又は衛星写真の映像を復元することを特徴とする。
【００２５】
本発明で前記映像復元部は、異なる時刻に撮影された前記空中又は衛星写真から前記影の境界線領域に対応する領域を抽出して代替することで、前記空中又は衛星写真の映像を復元することを特徴とする。
【発明の効果】
【００２６】
本発明によれば、建物により形成される影を含む空中又は衛星写真から影を除去して表示するため、映像の品質を向上させることができるという効果を奏する。
【００２７】
また、本発明は、空中又は衛星写真を通じて車両の目的地までの経路を案内する際に、より視認性の高い映像を通じて経路を案内するので、ユーザの利便性を向上させることができる。
【図面の簡単な説明】
【００２８】
【図１】本発明の一実施形態による空中又は衛星写真の影除去装置の機能ブロック図である。
【図２】本発明の一実施形態による空中又は衛星写真の影除去方法の実現過程を説明する手順フローチャートである。
【図３】本発明の一実施形態による空中又は衛星写真の影除去方法に基づいて予測した影領域を示す図である。
【図４】本発明の一実施形態による空中又は衛星写真の影除去方法に基づいて予測した影領域に対応する空中又は衛星写真の映像を復元した図である。
【図５】撮影時刻によって異なって形成される影領域を比較して示す空中又は衛星写真の図面である。
【発明を実施するための形態】
【００２９】
以下では、本発明の一実施形態による空中又は衛星写真の影除去方法及びその装置を添付の図面を参照して詳細に説明する。この過程で図面に示された線の太さや構成要素の大きさなどは説明の明瞭性と便宜上、誇張して示されることもあり得る。また、後述する用語は、本発明での機能を考慮して定義された用語であって、これはユーザ、運用者の意図又は慣例によって変わり得る。従って、これらの用語についての定義は、本明細書全般に亘る内容に基づいて行われるべきである。
【００３０】
図１は、本発明の一実施形態による空中又は衛星写真の影除去装置の機能ブロック図である。
【００３１】
図１を参照すれば、空中又は衛星写真の影除去装置は、撮影情報収集部１０、建物情報抽出部２０、影領域予測部３０、映像復元部４０、映像合成部５０及び地図データベース（ＤＢ）６０を含む。
【００３２】
撮影情報収集部１０は、地面を撮影した空中又は衛星写真を収集し、追加で該当空中又は衛星写真が撮影された撮影位置、撮影高度及び撮影時間を含む撮影情報を収集する。
【００３３】
従って、撮影情報収集部１０は、人工衛星又は航空機などの撮影装置１と通信を行うための通信部（図示せず）を含んで構成され得る。
【００３４】
具体的に、撮影情報収集部１０は、撮影装置１からリアルタイムで空中又は衛星写真の転送を受けたり、又は予め撮影されて格納された状態の空中又は衛星写真の転送を受けるなど多様な方式で所望の地面の空中又は衛星写真を収集できる。
【００３５】
特に、本実施形態において撮影情報収集部１０は、空中又は衛星写真だけでなく、ＧＰＳ（Ｇｌｏｂａｌ Ｐｏｓｉｔｉｏｎｉｎｇ Ｓｙｓｔｅｍ）２から該当空中又は衛星写真が撮影される当時の撮影位置と撮影高度情報を収集することで、収集した空中又は衛星写真に含まれる領域を導き出すことができる。
【００３６】
即ち、空中又は衛星写真が撮影される緯度と経度を含む撮影位置情報と撮影高度を通じて該当空中又は衛星写真がどの地面を撮影した映像かを判断できる。
【００３７】
また、本実施形態において、撮影情報収集部１０は、撮影装置１から空中又は衛星写真を収集するとき、空中又は衛星写真を撮影しながら、共に格納する撮影時刻に関する情報を共に収集する。
【００３８】
更に、本実施形態において、撮影情報収集部１０は、追加で空中又は衛星写真を撮影した撮影装置１の画角（Ａｎｇｌｅ ｏｆ ｖｉｅｗ）情報を収集できる。撮影装置１によって画角を含む撮影性能が異なるため、本実施形態では、撮影装置１の画角情報に基づいて、撮影された空中又は衛星写真に含まれる領域をより正確に導き出すことができる。
【００３９】
建物情報抽出部２０は、撮影情報収集部１０を通じて収集された空中又は衛星写真に含まれている建物を抽出する。
【００４０】
具体的に、建物情報抽出部２０は、空中又は衛星写真を撮影しようとする領域のイメージとこの領域内の建物の面状及び高さ情報が含まれている地図イメージを格納している地図データベース６０から空中又は衛星写真に含まれる地面の建物情報を抽出できる。
【００４１】
このとき、地図データベース６０は、建物情報抽出部２０の内部に含まれていてもよく、建物情報抽出部２０の外部に存在する別途のサーバのような外部格納装置に含まれていてもよく、外部格納装置が存在すれば、建物情報抽出部２０は、外部格納装置との通信を通じて地図データベースを受信する。
【００４２】
このように、建物情報抽出部２０は、空中又は衛星写真に含まれる地面の建物リストを抽出するが、特に、本実施形態では空中又は衛星写真に含まれている建物の中から既に設定されている基準高さ以上の建物のみを抽出する。
【００４３】
基準高さとは、映像の識別に影響を及ぼす程度の影を形成する建物の高さを意味し、撮影装置１の撮影角度又は太陽の高度などによって異なるように設定され得る。
【００４４】
従って、本実施形態では映像の識別に影響を及ぼす程度の高さを有する建物のみを抽出し、該当建物による影を除去するため、映像の処理速度を速くすることができる。
【００４５】
影領域予測部３０は、建物情報抽出部２０から抽出された建物により形成される影領域を予測する。
【００４６】
具体的に、影領域予測部３０は、空中又は衛星写真の撮影時刻、抽出された建物の面状及び高さに基づいて影の形状を予測する形状予測部３２と、予測された影の形状から境界線を抽出する境界線抽出部３４を含むことで、影領域を予測する。
【００４７】
即ち、形状予測部３２は、空中又は衛星写真の撮影時刻に基づいて太陽の高度を予測でき、抽出された建物の面状と高さ情報に基づいて形成される影形状を予測できるため、影が形成される方向及び大きさを予測できる。
【００４８】
そして、影が形成された映像と影が形成されない映像では、明暗の差が現れるため、境界線抽出部３４は、形状予測部３２で予測された影形状部分と残りの空中又は衛星写真領域との明暗を比較することで、影の境界線を抽出できる。
【００４９】
映像の明暗の差を比較して境界線を抽出する映像処理方法は、既に公知の技術であるため、詳細な説明は省略する。
【００５０】
映像復元部４０は、影領域予測部３０で予測された影領域に対応する空中又は衛星写真の映像を復元する。
【００５１】
具体的に、映像復元部４０は、予測された影領域に対応する空中又は衛星写真の映像自体の明度及び明暗の対比を変更したり、異なる時刻に撮影された空中又は衛星写真から前記予測された影領域に対応する領域を抽出して代替するなどの方法を用いて映像を復元できる。
【００５２】
第一に、予測された影領域に対応する空中又は衛星写真の映像自体の明度及び明暗の対比を変更することで、空中又は衛星写真の映像を復元する方法は、空中又は衛星写真に含まれている建物又は道路のような１つの事物の境界線を抽出し、該当事物内部の明度及び明暗の対比を比較する。
【００５３】
そして、同じ事物の内部の明度又は明暗の対比で基準値以上の差が発生すれば、映像復元部４０は、該当事物に影が形成されたと判断し、該当事物の明度又は明暗の対比差に基づいて前記予測された影領域に対応する映像の明度又は明暗の対比を調節することで、空中又は衛星写真の映像を復元する。
【００５４】
第二に、異なる時刻に撮影された空中又は衛星写真から前記予測された影領域に対応する領域を抽出して代替する方法は、ＨＤＲ（Ｈｉｇｈ Ｄｙｎａｍｉｃ Ｒａｎｇｅ）のように、一場面で露出が異なるそれぞれの写真を結合する技術などを利用できる。
【００５５】
特に、本実施形態では撮影時刻によって形成される影の方向が異なることを利用するものの、この方法を利用する場合、映像復元部４０は、撮影情報収集部１０を通じて収集された空中又は衛星写真が撮影された撮影時刻と異なる時刻に撮影された該当空中又は衛星写真の領域から前記予測された影領域に対応する領域を抽出して、抽出された領域で前記予測された影領域を代えることで、空中又は衛星写真の映像を復元する。
【００５６】
映像合成部５０は、映像復元部４０で復元された映像と空中又は衛星写真の残りの映像を合成することで、影が除去された空中又は衛星写真を形成する。
【００５７】
図２は、本発明の一実施形態による空中又は衛星写真の影除去方法の実現過程を説明する手順フローチャートである。
【００５８】
図３は、本発明の一実施形態による空中又は衛星写真の影除去方法に基づいて予測した影領域を示す図である。
【００５９】
図４は、本発明の一実施形態による空中又は衛星写真の影除去方法に基づいて予測した影領域に対応する空中又は衛星写真の映像を復元した図である。
【００６０】
図５は、撮影時刻によって異なって形成される影領域を比較して示す空中又は衛星写真の図面である。
【００６１】
図２〜図５を参照して本発明の一実施形態による空中又は衛星写真の影除去方法を説明すると、まず、撮影情報収集部１０は、人工衛星又は航空機などの撮影装置１から空中又は衛星写真を収集する（Ｓ１０）。
【００６２】
このとき、撮影情報収集部１０は、地面を撮影した空中又は衛星写真だけでなく、追加で該当空中又は衛星写真が撮影された撮影位置、撮影高度、撮影時間及び撮影装置１の画角情報を含む撮影情報を収集する。
【００６３】
そして、建物情報抽出部２０は、撮影情報収集部１０を通じて収集された空中又は衛星写真に含まれている建物を抽出する（Ｓ２０）。
【００６４】
特に、本実施形態で建物情報抽出部２０は、空中又は衛星写真に含まれる地面の建物リストを抽出し、空中又は衛星写真に含まれている建物リストの中から既に設定されている基準高さ以上の建物のみを抽出する。
【００６５】
基準高さとは、映像の識別に影響を及ぼす程度の影を形成する建物の高さを意味し、撮影装置１の撮影角度又は太陽の高度などによって異なるように設定され得る。
【００６６】
次に、影領域予測部３０は、建物情報抽出部２０から抽出された建物により形成される影領域を予測する（Ｓ３０）。
【００６７】
図３を参照すれば、具体的に影領域予測部３０が影領域を予測する段階は、形状予測部３２を通じて空中又は衛星写真の撮影時刻、抽出された建物の面状及び高さに基づいて影の形状を予測する段階（Ｓ３２）及び境界線抽出部３４を通じて前記予測された影の形状から境界線を抽出する段階（Ｓ３４）を含む。
【００６８】
即ち、形状予測部３２は、空中又は衛星写真の撮影時刻に基づいて太陽の高度を予測でき、抽出された建物の面状と高さ情報に基づいて形成される影形状を予測できるため、影が形成される方向及び大きさを予測できる。
【００６９】
そして、影が形成された映像と影が形成されない映像では、明暗の差が現れるため、境界線抽出部３４は、形状予測部３２で予測された影形状部分と残りの空中又は衛星写真領域との明暗を比較することで、図３に示すように、影の境界線Ｌ１を抽出できる。
【００７０】
次に、映像復元部４０は、影領域予測部３０で予測された影領域に対応する空中又は衛星写真の映像を復元する（Ｓ４０）。
【００７１】
具体的に、映像復元部４０は、予測された影領域に対応する空中又は衛星写真の映像自体の明度及び明暗の対比を変更したり、異なる時刻に撮影された空中又は衛星写真から前記予測された影領域に対応する領域を抽出して代替するなどの方法を用いて映像を復元できる。
【００７２】
第一に、予測された影領域に対応する空中又は衛星写真の映像自体の明度及び明暗の対比を変更することで、空中又は衛星写真の映像を復元する方法は、空中又は衛星写真に含まれている建物又は道路のような１つの事物の境界線を抽出し、該当事物内部の明度及び明暗の対比を比較する。
【００７３】
そして、同じ事物内部の明度又は明暗の対比で基準値以上の差が発生すれば、映像復元部４０は、該当事物に影が形成されたと判断し、該当事物の明度又は明暗の対比差に基づいて予測された影領域に対応する映像の明度又は明暗の対比を調節することで、図４に示すように、空中又は衛星写真の映像を復元できる。
【００７４】
第二に、異なる時刻に撮影された空中又は衛星写真から前記予測された影領域に対応する領域を抽出して代替する方法は、図５に示すように、撮影時刻によって形成される影の方向が異なることを利用する。
【００７５】
図５を参照すれば、同じ地面を撮影しても、撮影時刻によって太陽の位置が変わるため、午前に撮影された空中又は衛星写真に含まれている影の境界線Ｌ１と午後に撮影された空中又は衛星写真に含まれている影の境界線Ｌ２とが互いに異なることが確認できる。
【００７６】
従って、図３のように形成された影を除去し、影境界線Ｌ１内部の空中又は衛星写真映像を復元するために、映像復元部４０は、午後に撮影された空中又は衛星写真から影境界線Ｌ１領域に対応する領域を抽出して代替することで、空中又は衛星写真の映像を復元する。
【００７７】
そして、映像合成部５０は、映像復元部４０で復元された映像と空中又は衛星写真の残りの映像を合成することで、影が除去された空中又は衛星写真を形成する（Ｓ５０）。
【００７８】
本実施形態によれば、建物により形成される影を含む空中又は衛星写真から影を除去して表示するため、映像の品質を向上させることができる。
【００７９】
また、本実施形態は、空中又は衛星写真を通じて車両の目的地までの経路を案内する際に、より視認性の高い映像を通じて経路を案内するので、ユーザの利便性を向上させることができる。
【００８０】
本発明は、図面に示す実施形態を参照して説明されたが、これは例示的なものに過ぎず、当該技術の属する技術分野における通常の知識を有する者であれば、これより多様な変形及び均等な他の実施形態が可能であるという点が理解できる。従って、本発明の真の技術的保護範囲は下記の特許請求の範囲によって定められるべきである。
【符号の説明】
【００８１】
１    撮影装置
２    ＧＰＳ
１０    撮影情報収集部
２０    建物情報抽出部
３０    影領域予測部
３２    形状予測部
３４    境界線抽出部
４０    映像復元部
５０    映像合成部
【図１】
2014199640.tif 000003
【図２】
2014199640.tif 000004
【図３】
2014199640.tif 000005
【図４】
2014199640.tif 000006
【図５】
2014199640.tif 000007